(57)【要約】【課題】流水路の越流堰に配設したスクリーンにて効率的に除塵するとともに、水位上昇を考慮し、スクリーン上部からのオーバーフローを回避することができる越流水の除塵装置を提供すること。【解決手段】流水路Ｓの越流堰１の上に半円筒形スクリーン２を昇降可能に配設するとともに、この半円筒形スクリーン２の上部に、所定水位を超える越流水により半円筒形スクリーン２を浮上させるフロート３を配設する。【選択図】図２
2006274632.tif 000002
【特許請求の範囲】
【請求項１】
流水路の越流堰の上にスクリーンを昇降可能に配設するとともに、該スクリーンの上部に、所定水位を超える越流水により該スクリーンを浮上させるスクリーン浮上手段を配設したことを特徴とする越流水の除塵装置。
【請求項２】
スクリーンから流水路側にステーを延設するとともに、該ステーの先端側を枢支してスクリーンを揺動可能に支持したことを特徴とする請求項１記載の越流水の除塵装置。
【請求項３】
スクリーンが、半円筒形スクリーンからなることを特徴とする請求項１又は２記載の越流水の除塵装置。
【請求項４】
スクリーン浮上手段が、フロートからなることを特徴とする請求項１、２又は３記載の越流水の除塵装置。
【発明の詳細な説明】
【技術分野】
【０００１】
本発明は、越流水の除塵装置に関し、特に、流水路の越流堰に配設したスクリーンにて効率的に除塵するとともに、水位上昇を考慮し、スクリーン上部からのオーバーフローを回避することができる越流水の除塵装置に関するものである。
【背景技術】
【０００２】
従来、分流式下水道の管渠施設においては、雨天時における雨水を一時的に雨水貯留池に貯留したり、また、合流式管渠の雨水吐き室では、雨水流出量の内、処理場で汚水として扱う下水量以上の雨水を放流管渠によって河川、海域、湖沼等に放流するようにしている。
これらの施設では、雨水貯留池への流入部や放流管渠への流入部に適当な高さの越流堰を設け、該越流堰で雨水流入量を調整するようにはしているが、降雨初期の増水に伴う前記施設への越流水には、分流式下水道の雨水管渠では道路面のごみが、また、合流式管渠では道路面のごみや汚物等を含まれている。
これらのごみ等は、越流部分から貯留池や河川等へと流れ込むため、利水における障害となったり、放流水域を汚濁するという問題がある。
【０００３】
そのため、このような利水上の障害や放流水域の汚濁を防止する目的で、雨水に含まれるごみ等が貯留池や河川等へ流入するのを防ぐように、合流管渠の主幹線から越流雨水幹線への落ち口等に除塵装置を配設している。
このような除塵装置としては、例えば、越流雨水幹への落ち口等に、バースクリーンを垂直あるいは上部が後退するように傾斜して配設し、バースクリーンに捕捉されたごみを、バースクリーンに沿って移動するようにしたレーキ装置にて掻き揚げ排出するようにしたバースクリーン式除塵装置を採用している。
【０００４】
ところで、上記従来のバースクリーン式除塵装置においては、除去すべき流量に合わせてスクリーン高さなどが予め定められているが、雨水貯留池に流入する雨水や、放流管渠を経て河川・湖沼等に放流する雨水の流量は不確定任意であり、一定水位以上の処理は困難であることから、スクリーンの上部でオーバーフローが頻繁に生じるなどの問題があった。
【発明の開示】
【発明が解決しようとする課題】
【０００５】
本発明は、上記従来の越流水の除塵装置が有する問題に鑑み、流水路の越流堰に配設したスクリーンにて効率的に除塵するとともに、水位上昇を考慮し、スクリーン上部からのオーバーフローを回避することができる越流水の除塵装置を提供することを目的とする。
【課題を解決するための手段】
【０００６】
上記目的を達成するため、本発明の越流水の除塵装置は、流水路の越流堰の上にスクリーンを昇降可能に配設するとともに、該スクリーンの上部に、所定水位を超える越流水により該スクリーンを浮上させるスクリーン浮上手段を配設したことを特徴とする。
【０００７】
この場合において、スクリーンから流水路側にステーを延設するとともに、該ステーの先端側を枢支してスクリーンを揺動可能に支持することができる。
【０００８】
また、スクリーンを、半円筒形スクリーンから構成することができる。
【０００９】
また、スクリーン浮上手段を、フロートから構成することができる。
【発明の効果】
【００１０】
本発明の越流水の除塵装置によれば、流水路の越流堰の上にスクリーンを昇降可能に配設するとともに、該スクリーンの上部に、所定水位を超える越流水により該スクリーンを浮上させるスクリーン浮上手段を配設するようにしているので、通常水位の越流水に含まれるごみはスクリーンにより除塵するとともに、スクリーンをオーバーフローするような非常高水位の場合には、スクリーンをスクリーン浮上手段により越流堰から浮上させ、越流堰とスクリーンの隙間から放水し、水位上昇を防止することができる。
【００１１】
また、スクリーンから流水路側にステーを延設するとともに、該ステーの先端側を枢支してスクリーンを揺動可能に支持することにより、増水時のスクリーンの昇降を円滑に行うことができる。
【００１２】
また、スクリーンを、半円筒形スクリーンから構成することにより、越流水に含まれるごみを効率よく除塵することができる。
【００１３】
また、スクリーン浮上手段を、フロートから構成することにより、非常高水位の場合に、無動力で、かつ、自動的にスクリーンを越流堰から浮上させることができる。
【発明を実施するための最良の形態】
【００１４】
以下、本発明の越流水の除塵装置の実施の形態を、図面に基づいて説明する。
【実施例１】
【００１５】
図１〜図２に、本発明の越流水の除塵装置の一実施例を示す。
この越流水の除塵装置は、流水路Ｓの越流堰１の上に半円筒状スクリーン２を昇降可能に配設するとともに、該半円筒状スクリーン２の上部に、所定水位を超える越流水により該半円筒状スクリーン２を浮上させるスクリーン浮上手段としてのフロート３を配設している。
半円筒状スクリーン２は、流水路Ｓ側にステー４が延設されるとともに、該ステー４先端のシャフト５が壁等に枢支されることにより揺動可能に支持されている。
【００１６】
半円筒状スクリーン２は、所要の径と長さを有し、流水路Ｓ側に開口する半円筒状の濾過体からなり、周面はパンチングメタル等の微細目スクリーン２１で構成されるとともに、両端部は端板により閉塞されている。
この半円筒状スクリーン２は、越流雨水幹への落ち口等に越流水を濾過するように配設されており、半円筒状スクリーン２内部に溜まったごみを掻き出す排出装置２２と、該排出装置２２を駆動するスクリーン駆動用水車６とを備えている。
【００１７】
また、半円筒状スクリーン２は、越流堰１の上方位置に配設する際、越流雨水の水位は、特に限定されるものではないが、例えば、図１に示すように、半円筒状スクリーン２の上部位置以下の場合（特に限定されるものではないが、例えば、１０ｍｍ以下の降雨時）には、通常処理を行い、越流雨水に含まれるごみ（夾雑物）を濾過により除去できるように濾過部とする。
一方、図２に示すように、越流雨水の水位が、半円筒状スクリーン２の上部位置以上の場合（特に限定されるものではないが、例えば、１０ｍｍ以上の降雨時）には、半円筒状スクリーン２をフロート３により越流堰１から浮上させ、越流堰１と半円筒状スクリーン２の隙間から非常放水し、水位上昇を軽減するようにする。
これにより、浮遊するごみに対しては、降雨初期のごみの流入が多い場合に濾過除去し、豪雨時には水理的影響を最小限に抑えることができる。
【００１８】
かくして、本実施例の越流水の除塵装置は、流水路Ｓの越流堰１の上に半円筒状スクリーン２を昇降可能に配設するとともに、該半円筒状スクリーン２の上部に、所定水位を超える越流水により該半円筒状スクリーン２を浮上させるフロート３を配設することから、通常水位の越流水に含まれるごみは半円筒状スクリーン２により除塵するとともに、半円筒状スクリーン２をオーバーフローするような非常高水位の場合には、半円筒状スクリーン２をフロート３により越流堰１から浮上させ、越流堰１と半円筒状スクリーン２の隙間から放水し、水位上昇を防止することができる。
また、半円筒状スクリーン２から流水路Ｓ側にステー４を延設するとともに、該ステー４の先端側を枢支して半円筒状スクリーン２を揺動可能に支持することにより、増水時の半円筒状スクリーン２の昇降を円滑に行うことができる。
【００１９】
以上、本発明の越流水の除塵装置について、その実施例に基づいて説明したが、本発明は上記実施例に記載した構成に限定されるものではなく、例えば、スクリーンに、半円筒形スクリーン以外のバースクリーン等の他の形式のスクリーンを使用したり、スクリーン浮上手段に、フロート以外の動力機構を備えたスクリーン浮上手段を使用する等、その趣旨を逸脱しない範囲において適宜その構成を変更することができる。
【産業上の利用可能性】
【００２０】
本発明の越流水の除塵装置は、水位上昇に対する変動が少なく、あらゆる水量に対する濾過除去効果が得られるという信頼性の高い特性を有していることから、越流水の除塵の用途に広く好適に用いることができる。
【図面の簡単な説明】
【００２１】
【図１】本発明の越流水の除塵装置の一実施例において、越流水が通常水位のときの状態を示す断面図である。
【図２】同実施例の越流水の除塵装置において、越流水が非常高水位のときの状態を示す断面図である。
【符号の説明】
【００２２】
１    越流堰
２    半円筒状スクリーン
２１  微細目スクリーン
２２  排出装置
３    フロート（スクリーン浮上手段）
４    ステー
５    シャフト
６    水車
Ｓ    流水路
【図１】
2006274632.tif 000003
【図２】
2006274632.tif 000004
【手続補正書】
【提出日】平成17年3月30日(2005.3.30)
【手続補正１】
【補正対象書類名】明細書
【補正対象項目名】全文
【補正方法】変更
【補正の内容】
【発明の詳細な説明】
【技術分野】
【０００１】
本発明は、越流水の除塵装置に関し、特に、流水路の越流堰に配設したスクリーンにて効率的に除塵するとともに、水位上昇を考慮し、スクリーン上部からのオーバーフローを回避することができる越流水の除塵装置に関するものである。
【背景技術】
【０００２】
従来、分流式下水道の管渠施設においては、雨天時における雨水を一時的に雨水貯留池に貯留したり、また、合流式管渠の雨水吐き室では、雨水流出量の内、処理場で汚水として扱う下水量以上の雨水を放流管渠によって河川、海域、湖沼等に放流するようにしている。
これらの施設では、雨水貯留池への流入部や放流管渠への流入部に適当な高さの越流堰を設け、該越流堰で雨水流入量を調整するようにはしているが、降雨初期の増水に伴う前記施設への越流水には、分流式下水道の雨水管渠では道路面のごみが、また、合流式管渠では道路面のごみや汚物等を含まれている。
これらのごみ等は、越流部分から貯留池や河川等へと流れ込むため、利水における障害となったり、放流水域を汚濁するという問題がある。
【０００３】
そのため、このような利水上の障害や放流水域の汚濁を防止する目的で、雨水に含まれるごみ等が貯留池や河川等へ流入するのを防ぐように、合流管渠の主幹線から越流雨水幹線への落ち口等に除塵装置を配設している。
このような除塵装置としては、例えば、越流雨水幹への落ち口等に、バースクリーンを垂直あるいは上部が後退するように傾斜して配設し、バースクリーンに捕捉されたごみを、バースクリーンに沿って移動するようにしたレーキ装置にて掻き揚げ排出するようにしたバースクリーン式除塵装置を採用している。
【０００４】
ところで、上記従来のバースクリーン式除塵装置においては、除去すべき流量に合わせてスクリーン高さなどが予め定められているが、雨水貯留池に流入する雨水や、放流管渠を経て河川・湖沼等に放流する雨水の流量は不確定任意であり、一定水位以上の処理は困難であることから、スクリーンの上部でオーバーフローが頻繁に生じるなどの問題があった。
【発明の開示】
【発明が解決しようとする課題】
【０００５】
本発明は、上記従来の越流水の除塵装置が有する問題に鑑み、流水路の越流堰に配設したスクリーンにて効率的に除塵するとともに、水位上昇を考慮し、スクリーン上部からのオーバーフローを回避することができる越流水の除塵装置を提供することを目的とする。
【課題を解決するための手段】
【０００６】
上記目的を達成するため、本発明の越流水の除塵装置は、流水路の越流堰の上にスクリーンを昇降可能に配設するとともに、該スクリーンの上部に、所定水位を超える越流水により該スクリーンを浮上させるスクリーン浮上手段を配設したことを特徴とする。
【０００７】
この場合において、スクリーンから流水路側にステーを延設するとともに、該ステーの先端側を枢支してスクリーンを揺動可能に支持することができる。
【０００８】
また、スクリーンを、半円筒形スクリーンから構成することができる。
【０００９】
また、スクリーン浮上手段を、フロートから構成することができる。
【発明の効果】
【００１０】
本発明の越流水の除塵装置によれば、流水路の越流堰の上にスクリーンを昇降可能に配設するとともに、該スクリーンの上部に、所定水位を超える越流水により該スクリーンを浮上させるスクリーン浮上手段を配設するようにしているので、通常水位の越流水に含まれるごみはスクリーンにより除塵するとともに、スクリーンをオーバーフローするような非常高水位の場合には、スクリーンをスクリーン浮上手段により越流堰から浮上させ、越流堰とスクリーンの隙間から放水し、水位上昇を防止することができる。
【００１１】
また、スクリーンから流水路側にステーを延設するとともに、該ステーの先端側を枢支してスクリーンを揺動可能に支持することにより、増水時のスクリーンの昇降を円滑に行うことができる。
【００１２】
また、スクリーンを、半円筒形スクリーンから構成することにより、越流水に含まれるごみを効率よく除塵することができる。
【００１３】
また、スクリーン浮上手段を、フロートから構成することにより、非常高水位の場合に、無動力で、かつ、自動的にスクリーンを越流堰から浮上させることができる。
【発明を実施するための最良の形態】
【００１４】
以下、本発明の越流水の除塵装置の実施の形態を、図面に基づいて説明する。
【実施例１】
【００１５】
図１〜図２に、本発明の越流水の除塵装置の一実施例を示す。
この越流水の除塵装置は、流水路Ｓの越流堰１の上に半円筒形スクリーン２を昇降可能に配設するとともに、該半円筒形スクリーン２の上部に、所定水位を超える越流水により該半円筒形スクリーン２を浮上させるスクリーン浮上手段としてのフロート３を配設している。
半円筒形スクリーン２は、流水路Ｓ側にステー４が延設されるとともに、該ステー４先端のシャフト５が壁等に枢支されることにより揺動可能に支持されている。
【００１６】
半円筒形スクリーン２は、所要の径と長さを有し、流水路Ｓ側に開口する半円筒形の濾過体からなり、周面はパンチングメタル等の微細目スクリーン２１で構成されるとともに、両端部は端板により閉塞されている。
この半円筒形スクリーン２は、越流雨水幹への落ち口等に越流水を濾過するように配設されており、半円筒形スクリーン２内部に溜まったごみを掻き出す排出装置２２と、該排出装置２２を駆動するスクリーン駆動用水車６とを備えている。
【００１７】
また、半円筒形スクリーン２は、越流堰１の上方位置に配設する際、越流雨水の水位は、特に限定されるものではないが、例えば、図１に示すように、半円筒形スクリーン２の上部位置以下の場合（特に限定されるものではないが、例えば、１０ｍｍ以下の降雨時）には、通常処理を行い、越流雨水に含まれるごみ（夾雑物）を濾過により除去できるように濾過部とする。
一方、図２に示すように、越流雨水の水位が、半円筒形スクリーン２の上部位置以上の場合（特に限定されるものではないが、例えば、１０ｍｍ以上の降雨時）には、半円筒形スクリーン２をフロート３により越流堰１から浮上させ、越流堰１と半円筒形スクリーン２の隙間から非常放水し、水位上昇を軽減するようにする。
これにより、浮遊するごみに対しては、降雨初期のごみの流入が多い場合に濾過除去し、豪雨時には水理的影響を最小限に抑えることができる。
【００１８】
かくして、本実施例の越流水の除塵装置は、流水路Ｓの越流堰１の上に半円筒形スクリーン２を昇降可能に配設するとともに、該半円筒形スクリーン２の上部に、所定水位を超える越流水により該半円筒形スクリーン２を浮上させるフロート３を配設することから、通常水位の越流水に含まれるごみは半円筒形スクリーン２により除塵するとともに、半円筒形スクリーン２をオーバーフローするような非常高水位の場合には、半円筒形スクリーン２をフロート３により越流堰１から浮上させ、越流堰１と半円筒形スクリーン２の隙間から放水し、水位上昇を防止することができる。
また、半円筒形スクリーン２から流水路Ｓ側にステー４を延設するとともに、該ステー４の先端側を枢支して半円筒形スクリーン２を揺動可能に支持することにより、増水時の半円筒形スクリーン２の昇降を円滑に行うことができる。
【００１９】
以上、本発明の越流水の除塵装置について、その実施例に基づいて説明したが、本発明は上記実施例に記載した構成に限定されるものではなく、例えば、スクリーンに、半円筒形スクリーン以外のバースクリーン等の他の形式のスクリーンを使用したり、スクリーン浮上手段に、フロート以外の動力機構を備えたスクリーン浮上手段を使用する等、その趣旨を逸脱しない範囲において適宜その構成を変更することができる。
【産業上の利用可能性】
【００２０】
本発明の越流水の除塵装置は、水位上昇に対する変動が少なく、あらゆる水量に対する濾過除去効果が得られるという信頼性の高い特性を有していることから、越流水の除塵の用途に広く好適に用いることができる。
【図面の簡単な説明】
【００２１】
【図１】本発明の越流水の除塵装置の一実施例において、越流水が通常水位のときの状態を示す断面図である。
【図２】同実施例の越流水の除塵装置において、越流水が非常高水位のときの状態を示す断面図である。
【符号の説明】
【００２２】
１    越流堰
２    半円筒形スクリーン
２１  微細目スクリーン
２２  排出装置
３    フロート（スクリーン浮上手段）
４    ステー
５    シャフト
６    水車
Ｓ    流水路